(57)【特許請求の範囲】
【請求項１】
門形状に形成された最外周側の音響反射板が舞台の奥側から舞台の客席側にかけての上方の天井側に配置された一対の天井レールに移動可能に懸垂されると共に、この最外周側の音響反射板内に同じく門形状の内周側の音響反射板を配置し、上記最外周側の音響反射板の下部に配在のレールに上記内周側の音響反射板を滑車を介して移動可能に懸垂させることで、この内周側の音響反射板が上記最外周側の音響反射板から連れ運動状態で出没可能となるようにした
音響反射板装置。
【請求項２】
門形状に形成された最外周側の音響反射板が舞台の奥側から舞台の客席側にかけての上方の天井側に配置された一対の天井レールに移動可能に懸垂されると共に、この最外周側の音響反射板内に同じく門形状の内周側の音響反射板を配置し、この内周側の音響反射板の上部に配在の補助レールに上記最外周側の音響反射板の下部に設けた滑車を移動可能に連繋することで、上記内周側の音響反射板が上記最外周側の音響反射板から連れ運動状態で出没可能となるようにした音響反射板装置。
【請求項３】
上記内周側の音響反射板に吊束部材を設け、この吊束部材を上記天井レールに滑車を介して連繋した請求項1又は２記載の音響反射板装置。
【発明の詳細な説明】
【０００１】
【発明の属する技術分野】
この発明は、音響反射板装置に関し、特に、劇場等の舞台に移動可能に設置される分割型の音響反射板装置の改良に関する。
【０００２】
【従来の技術】
たとえば、劇場等の舞台には、音響効果を高めたり改善したりする目的で音響反射板装置が設置されるが、一般に、この種の音響反射板装置は、移動可能な分割型に構成されることが多い。
【０００３】
すなわち、従来提案としての図５および図６に示す音響反射板装置は、門型のほぼ相似形に形成された分割体たる複数の音響反射板１ａ，１ｂ，１ｃを有してなるが、この各音響反射板１ａ，１ｂ，１ｃは、図中で右側となる舞台Ｓの奥側から図中で左側となる舞台Ｓの客席側にかけての舞台床Ｆに配設された相応の床レール２ａ，２ｂ，２ｃに副って図中で左右方向となる前後方向に移動可能とされるように構成されている。
【０００４】
そして、この音響反射板装置にあっては、最外周側の音響反射板１ａに対して中間の音響反射板１ｂを出没可能とさせると共に、中間の音響反射板１ｂに対して最内周側の音響反射板１ｃを出没可能とさせてなるとしている。
【０００５】
したがって、この音響反射板装置にあっては、各音響反射板１ａ，１ｂ，１ｃを相応の床レール２ａ，２ｂ，２ｃに副って移動することのみで、舞台Ｓの客席側への設置およ舞台Ｓの奥側への格納が可能になるのはもちろんのこと、格納の際に、図中に仮想線図で示すように、全体をコンパクト化した状態で、図中に仮想線矢印で示すように、舞台Ｓの奥に移動させることが可能になる。
【０００６】
また、床レール２ａ，２ｂ，２ｃが舞台床Ｆを掘り下げるようにして溝状に形成される場合には、音響反射板１ａ，１ｂ，１ｃにおいて、床レール２ａ，２ｂ，２ｃを横切る方向に作用する水平力に対しても対抗でき、音響反射板１ａ，１ｂ，１ｃのいわゆる横方向への位置ずれを危惧しなくて済む利点もある。
【０００７】
【発明が解決しようとする課題】
しかしながら、上記した従来提案としての音響反射板装置にあっては、舞台床Ｆに床レール２ａ，２ｂ，２ｃを常設させるから、たとえば、舞台Ｓが演舞に利用されるなどのときにいわゆる邪魔になる不具合がある。
【０００８】
そして、床レール２ａ，２ｂ，２ｃが舞台床Ｆを掘り下げた溝状に形成される場合には、舞台Ｓを他の目的に利用する際にはこれを塞ぎ、音響反射板装置を利用する際にはこれを開放する各作業がその都度必須になる不具合がある。
【０００９】
また、舞台床Ｆに床レール２ａ，２ｂ，２ｃを配設するについて、この舞台Ｓに大迫りや小迫り等の迫り台装置が装備されている場合には、この迫り台装置との取り合いを考慮していわゆる干渉を防止しなければならず、状況によっては、床レール２ａ，２ｂ，２ｃの配設が、すなわち、移動可能に構成された音響反射板装置の設置が困難になることが予想される。
【００１０】
この発明は、上記した事情を鑑みて創案されたもので、その目的とするところは、使用時に所定の音響効果が得られるのはもちろんのこと、床レールを要することなくその設置や格納を可能にして、その汎用性の向上を期待するに最適となる音響反射板装置を提供することである。
【００１１】
【課題を解決するための手段】
上記した目的を達成するために、この発明の音響反射板装置の構成を、門形状に形成された最外周側の音響反射板が舞台の奥側から舞台の客席側にかけての上方の天井側に配置された一対の天井レールに移動可能に懸垂されると共に、この最外周側の音響反射板内に同じく門形状の内周側の音響反射板を配置し、上記最外周側の音響反射板の下部に配在のレールに上記内周側の音響反射板を滑車を介して移動可能に懸垂させることで、この内周側の音響反射板が上記最外周側の音響反射板から連れ運動状態で出没可能となるようにした。
【００１２】
また、この発明の音響反射板装置の構成を、門形状に形成された最外周側の音響反射板が舞台の奥側から舞台の客席側にかけての上方の天井側に配置された一対の天井レールに移動可能に懸垂されると共に、この最外周側の音響反射板内に同じく門形状の内周側の音響反射板を配置し、この内周側の音響反射板の上部に配在の補助レールに上記最外周側の音響反射板の下部に設けた滑車を移動可能に連繋することで、上記内周側の音響反射板が上記最外周側の音響反射板から連れ運動状態で出没可能となるようにしても良い。
このとき、上記内周側の音響反射板に吊束部材を設け、この吊束部材を上記天井レールに滑車を介して連繋しても良い。
【００１３】
以下に、図示した実施の形態に基づいてこの発明を説明するが、この発明の一実施の形態による音響反射板装置は、図１、図２および図３に示すように、門形状をなす最外周側の音響反射板１１と、この最外周側の音響反射板１１内に配置される内周側の音響反射板たる中間の音響反射板１２と、同じくこの中間の音響反射板１２内に配置される最内周側の音響反射板１３とで構成されており、各音響反射板１１，１２，１３が舞台Ｓの図中で右側となる奥側から舞台の図中Ｓで左側となる客席側にかけての上方の天上側に配設された一対の天井レール１４に移動可能に懸垂されてなるとしている。
【００１４】
ちなみに、この音響反射板装置は、図示する実施の態様では、三枚の音響反射板１１，１２，１３で構成されるとしているが、その枚数は任意に設定されて良い。
【００１５】
ところで、各音響反射板１１，１２，１３は、図示する実施の形態にあって、詳しくは図示しないが、フレーム構造に形成されてその軽量化が図られている一方で、いわゆる内側にそれぞれ化粧材を兼ねる音響反射材（符示せず）を展設させてなるとしている。
【００１６】
ちなみに、前述した従来の場合のように、各音響反射板１１，１２，１３が床レール（図５および図６中の符号２ａ，２ｂ，２ｃ参照）を走行するように設定の場合には、各音響反射板１１，１２，１３が自立することを要求されるから、大きな機械的強度を具有すべく頑強に形成されて、自重が大きくなり操作性にも劣ることになる。
【００１７】
これに比較して、この発明では、各音響反射板１１，１２，１３が天井レール１４に懸垂されるとするから、これが軽量に形成されることが必要にして十分とされることになる。
【００１８】
そこで、図示する実施の形態では、各音響反射板１１，１２，１３がフレーム構造に形成されて軽量化が図られるとしており、したがって、これを天井レール１４に懸垂させるときに、天井レール１４における負担重量を軽減することが可能になり、天井レール１４自体を必要以上に頑強に構成することを要請しないことになる。
【００１９】
また、各音響反射板１１，１２，１３がフレーム構造に形成されて軽量化が図られることで、この音響反射板１１，１２，１３の天井レール１４に副っての移動時に大きな外力作用が不要になり、たとえば、駆動源を利用して音響反射板１１，１２，１３を移動させるときに、駆動源を必要以上に大きな構成に設定しなくて済むことになる。
【００２０】
なお、図示する実施の形態にあって、最外周側の音響反射板１１と、最外周側の音響反射板１１の内周側に位置決められる中間の音響反射板１２と、中間の音響反射板１２の内周側に位置決めされる最内周側の音響反射板１３は、それぞれ門形に形成されてなるとし、最内周側の音響反射板１３は、背面部１３ａを有して横向きほぼ函状に形成されてなるとしているが、後述するように、懸垂型に設定されていわゆる連れ運動をする限りにおいて、意匠的工夫を凝らすなどでその自由な態様が選択されても良いことは勿論である。
【００２１】
つぎに、舞台Ｓの上方の天井側に配設された一対の天井レール１４は、詳しくは図示しないが、およそ周知であろう適宜の手段で躯体側に固定状態に配設されているもので、図示する実施の形態では、図中で左端となる一端が躯体を構成する下がり壁Ａに保持されてなるとしているが、一端の保持についても自由な構成を選択して良い。
【００２２】
そして、この天井レール１４は、この音響反射板装置を舞台Ｓの奥側から舞台Ｓの客席側にいわゆる迫り出し得るように配設されてなるとするもので、各音響反射板１１，１２，１３の図中で右側となるいわゆる後方側に連設の吊束部材１１ａ，１２ａ，１３ｂの各上端に保持されている滑車１１ｂ，１２ｂ，１３ｃを回転可能に連繋させるとしている。
【００２３】
このとき、最外周側の音響反射板１１にあっては、図中で左側となるいわゆる前方側に連設されている吊束部材１１ｃの上端に保持されている滑車１１ｄをも天井レール１４に回転可能に連繋させるとしている。
【００２４】
それに対して、中間の音響反射板１２と最内周側の音響反射板１３は、それぞれの前方側に連設されている吊束部材１２ｃ，１３ｄの各上端に保持されている滑車１２ｄ，１３ｅを相応する補助レール１５，１６に回転可能に連繋させるとしている。
【００２５】
すなわち、補助レール１５は、最外周側の音響反射板１１の下部に設けられるとし、また、補助レール１６は、中間の音響反射板１２の下部に設けられてなるとしている。
【００２６】
ちなみに、補助レール１５，１６は、天井レール１４の延在方向に一致する方向にしかも水平に配在されていることはもちろんである。
【００２７】
そして、図示する実施の形態では、補助レール１５，１６がいわゆる左右となる一対に設けられてなるとするが、これに加えて、図示しないが、各音響反射板１１，１２における補助レール１５，１６間となる下部の任意位置に、また、その配置数についても自由に設定されても良いことはもちろんである。
【００２８】
また、詳しくは図示しないが、各補助レール１５，１６は、これに連繋する各滑車１２ｄ，１３ｅの端部からのいわゆる脱輪を阻止するように構成されていることはもちろんである。
【００２９】
ところで、この発明においては、各音響反射板１１，１２，１３を移動させる手段については特段の限定を要しないとしており、任意の手段が選択されて良いとしている。
【００３０】
そして、図示する実施の形態では、天井レール１４に連繋する滑車１１ｂ，１２ｂ，１３ｃの内、最外周側の音響反射板１１に保持されている滑車１１ｂが図示しない駆動源を有していていわゆる自力走行を可能にするように設定されてなるとしているが、この駆動源については、他の滑車１２ｂ，１３ｃも有してなるとしても良い。
【００３１】
また、滑車１１ｂに駆動源を有することに代えて、図示しないが、滑車１１ｂにワイヤを連結し、このワイヤを牽引することで滑車１１ｂを移動させるとしても良く、この場合には、ワイヤを天井レール１４内に挿通させることが可能になるから、いわゆる収納性が向上される点で有利となると言い得る。
【００３２】
それゆえ、以上のように形成された音響反射板装置にあっては、たとえば、図１および図２に示す利用状態から、最外周側の音響反射板１１を舞台Ｓの奥側に移動させるようにすることで、中間の音響反射板１２における滑車１２ｄが最外周側の音響反射板１１に配設の補助レール１５を移動することになる。
【００３３】
そして、滑車１２ｄの補助レール１５での移動が阻止される状態になると、中間の音響反射板１２が最外周側の音響反射板１１と共に移動することになり、最内周側の音響反射板１３における滑車１３ｅが中間の音響反射板１２に配設の補助レール１６を移動することになる。
【００３４】
そしてまた、滑車１３ｅの補助レール１６での移動が阻止されると、最内周側の音響反射板１３が中間の音響反射板１２および最外周側の音響反射板１１と共に移動することになり、各音響反射板１１，１２，１３が言わば連れ運動に類似する態勢で移動することになる。
【００３５】
また、たとえば、図３に示す格納状態から、最外周側の音響反射板１１を舞台Ｓの客席側に移動させるようにすることで、同じく連れ運動に類似する態勢で、中間の音響反射板１２が最外周側の音響反射板１１と共に、また、最内周側の音響反射板１３が中間の音響反射板１２と共に移動することになる。
【００３６】
このとき、各音響反射板１１，１２，１３は、天井レール１４に懸垂されているから、それぞれの下端が舞台床Ｆに接触しないように設定される限り、舞台床Ｆに床レールを配在させることを要しないのはもちろんのこと、舞台床Ｆに摺り傷などを形成しないことになる。
【００３７】
そして、床レールが配在されないから、舞台Ｓに迫り台装置（図示せず）などを設置する場合に床レールがいわゆる邪魔をするような事態が招来されず、迫り台装置を所定に位置に設けることを容易に可能にする点で有利となる。
【００３８】
さらに、天井レール１４は、舞台Ｓの上方においていわゆる左右に配在されるとするから、この天井側に吊りバトン装置（図示せず）などが設けられている状態でも、この音響反射板装置の設置が可能になる点でも有利となる。
【００３９】
また、このとき、最外周側の音響反射板１１における滑車１１ｂに連繋される駆動源は、各音響反射板１１，１２，１３がより軽量に構成されるのに伴い、その一層の小型化が可能になる。
【００４０】
のみならず、駆動源が最外周側の音響反射板１１における滑車１１ｂにみ連繋されるとすることで、この駆動源を制御するための構成がより簡素化されることになり、この音響反射板装置全体の製造コストおよび維持コストの上昇化を阻止できることにもなる。
【００４１】
図４に示す他の実施例の形態による音響反射板装置は、音響反射板１１，１２，１３の他にさらにいわゆる中間となる音響反射板１７を有して四枚に分割される一方で、外周側となる音響反射板１１，１２，１７が内周側となる音響反射板１２，１７，１３の上部に配在の補助レール１８，１９，２０に移動可能に連繋してなるとする。
【００４２】
すなわち、各音響反射板１１，１２，１７，１３における後方側の滑車１１ｂ，１２ｂ，１７ａ，１３ｃがそれぞれ天井レール１４に移動可能に連繋してなる一方で、各音響反射板１１，１２，１７の後方側の下部に保持された滑車１１ｅ，１２ｅ，１７ｂがそれぞれの下方となるいわゆる内周側の各音響反射板１２，１７，１３の上部に配在された補助レール１８，１９，２０に移動可能に連繋してなるとするものである。
【００４３】
なお、最外周側の音響反射板１１の前方に保持されて滑車１１ｄは、天井レール１４に移動可能に連繋していることは勿論である。
【００４４】
また、この実施の形態では、最外周側の音響反射板１１の内周側に配在されることになる各音響反射板１２，１７，１３の上部において、上記の各補助レール１８，１９，２０が客席側からの視界に入らないように工夫するなどして、意匠を、すなわち、外観を良くするとしているが、前記した実施の形態の場合と同様に、それ以外の種々の態様に形成されても良いことはもちろんである。
【００４５】
それゆえ、この実施の形態による場合にも、最外周側の音響反射板１１を移動させるようにすることで、連れ運動に類似する態勢で内周側の各音響反射板１２，１７，１３を言わば同時に移動させることが可能になる。
【００４６】
前記したところでは、各音響反射板１１，１２，（１７，）１３が天井レール１４に懸垂されてなることから、各音響反射板１１，１２，（１７，）１３における最下端が舞台床Ｆに接触することを想定していないが、仮に接触されることもあり得るとする場合には、図示しないが、各音響反射板１１，１２，（１７，）１３の最下端にいわゆる滑り部材としてのローラなどを附設するとしても良いことはもちろんである。
【００４７】
以上のように、この発明にあっては、門形状をなす複数の音響反射板のうち、最外周側の音響反射板が舞台の奥側から舞台の客席にかけての上方の天上側に配設された一対の天井レールに移動可能に懸垂されてなるとするから、舞台床に床レールを配在させることを要求せず、また、各音響反射板の下端が舞台床に接触しないように設定される限り、舞台床に摺り傷などを形成しないことになる。
【００４８】
このとき、各音響反射板は、自己支持性を有する限りに軽量に形成することが必要にして十分とされることになり、それゆえ、重量を小さくして操作性を向上させることが可能になり、たとえば、天井レールに連繋する滑車に駆動源を連繋する場合には、この駆動源の小型化が可能になる。
【００４９】
そして、床レールが配在させないから、舞台に迫り台装置などを設置する場合に床レールがいわゆる邪魔をするような事態が招来されず、迫り台装置を所定に位置に設けることを容易に可能にする。
【００５０】
また、天井レールが舞台の上方においていわゆる左右に配在されることから、この天井側に吊りバトン装置などが設けられている状態でも、この音響反射板装置の設置が可能になる。
【００５１】
そして、この発明にあっては、音響反射板の移動時には、最外周側の音響反射板を移動させることのみで、内周側の音響反射板を言わば連れ運動に類似する態勢で同時に移動することが可能になる。
【００５２】
それゆえ、最外周側の音響反射板に保持されて天井レールに連繋する滑車にのみ駆動源を連繋することで、また、この駆動源を制御することで、各音響反射板の移動が可能になり、この駆動源を制御するための構成をより簡素化でき、この音響反射板装置全体の製造コストおよび維持コストの上昇化を阻止できることにもなる。
【００５３】
その結果、この発明によれば、使用時に所定の音響効果が得られるのはもちろんのこと、床レールを要することなくその設置や格納を可能にして、その汎用性の向上を期待するに最適となる利点がある。
【図面の簡単な説明】
【図１】この発明の一実施の形態による音響反射板装置を示す縦断面図である。
【図２】図１中のＸ−Ｘ線位置から示す音響反射板装置の平面図である。
【図３】図１の音響反射板装置を収納した状態を示す縦断面図である。
【図４】他の実施の形態による音響反射板装置を図１と同様に示す図である。
【図５】従来例としての音響反射板装置を示す立面図である。
【図６】図５の音響反射板装置を示す平面図である。
【符号の説明】
１１，１２，１３，１７  音響反射板
１１ａ，１１ｃ，１２ａ，１２ｃ，１３ｂ，１３ｄ，１７ａ  吊束部材
１１ｂ，１１ｄ，１１ｅ，１２ｂ，１２ｄ，１２ｅ，１３ｃ，１３ｅ，１７ｂ滑車
１３ａ  背面部
１４  天井レール
１５，１６，１８，１９，２０  補助レール
Ａ  躯体の下がり壁
Ｆ  舞台床
Ｓ  舞台
【図１】
0003886083.tif 000002
【図２】
0003886083.tif 000003
【図３】
0003886083.tif 000004
【図４】
0003886083.tif 000005
【図５】
0003886083.tif 000006
【図６】
0003886083.tif 000007